(57)【特許請求の範囲】
【請求項１】
撮影装置と、直接接続または記録装置を介して接続可能な画像表示装置であって、
前記画像表示装置の内部の温度を低減するためのファンと、
前記撮影装置が被写体を撮影することによって生成された画像データを前記撮影装置または前記記録装置で記録する画像記録処理に関連する記録処理情報を取得する第１取得手段と、
前記記録処理情報に基づいて、前記画像記録処理の実行に伴い、前記ファンの回転速度を低減または前記ファンの回転を停止する音低減処理を行う低減手段と、
を有することを特徴とする画像表示装置。
【請求項２】
前記撮影装置と前記画像表示装置との間の距離を表す距離情報を取得する第２取得手段をさらに有し、
前記低減手段は、前記距離情報と前記記録処理情報に基づいて、
前記距離が閾値以上であり、且つ、前記画像記録処理が行われる場合に、前記音低減処理を行わず、
前記距離が閾値未満であり、且つ、前記画像記録処理が行われる場合に、前記音低減処理を行う
ことを特徴とする請求項１に記載の画像表示装置。
【請求項３】
前記撮影装置から送信された無線信号を受信する受信手段をさらに有し、
前記第２取得手段は、前記受信手段が前記無線信号を受信した際の前記無線信号のレベルである受信レベルに基づいて、前記距離情報を生成する
ことを特徴とする請求項２に記載の画像表示装置。
【請求項４】
前記撮影装置の位置を表す第１位置情報を取得する第３取得手段と、
前記画像表示装置の位置を表す第２位置情報を取得する第４取得手段と、
をさらに有し、
前記第２取得手段は、前記第１位置情報と第２位置情報に基づいて、前記距離情報を生成する
ことを特徴とする請求項２に記載の画像表示装置。
【請求項５】
前記低減手段は、前記画像記録処理の実行に伴い、前記音低減処理を所定期間だけ行うことを特徴とする請求項１〜４のいずれか１項に記載の画像表示装置。
【請求項６】
撮影装置と、直接接続または記録装置を介して接続可能な画像表示装置であって、
前記画像表示装置の内部の温度を低減するためのファンと、
前記撮影装置が被写体を撮影することによって生成された画像データを記録する指示を示す情報であって、前記撮影装置で生成された情報である記録処理情報を取得する第１取得手段と、
前記第１取得手段により前記記録処理情報が取得されたことに応じて、前記ファンの回転速度を低減または前記ファンの回転を停止する音低減処理を行う低減手段と、
を有することを特徴とする画像表示装置。
【請求項７】
前記低減手段は、前記第１取得手段により前記記録処理情報が取得されたことに応じて、前記音低減処理を所定期間だけ行う
ことを特徴とする請求項６に記載の画像表示装置。
【請求項８】
前記記録処理情報は、前記画像データに付加されるメタデータである
ことを特徴とする請求項１〜７のいずれか１項に記載の画像表示装置。
【請求項９】
前記記録処理情報は、ＳＤＩ（Ｓｅｒｉａｌ  Ｄｉｇｉｔａｌ  Ｉｎｔｅｒｆａｃｅ）信号に含まれるアンシラリーデータである
ことを特徴とする請求項１〜８のいずれか１項に記載の画像表示装置。
【請求項１０】
前記第１取得手段は、前記記録処理情報を前記撮影装置から取得する
ことを特徴とする請求項１〜９のいずれか１項に記載の画像表示装置。
【請求項１１】
前記記録処理情報は、前記撮影装置が被写体を撮影することによって生成された動画像データと、前記動画像データの撮影期間にマイクロフォンに入力された音声を表す音声データとの記録開始指示を示す情報である
ことを特徴とする請求項１〜１０のいずれか１項に記載の画像表示装置。
【請求項１２】
前記画像データは、動画像データである
ことを特徴とする請求項１〜１１のいずれか１項に記載の画像表示装置。
【請求項１３】
画像表示装置であって、
前記画像表示装置の内部の温度を低減するためのファンと、
撮影装置が被写体を撮影することによって生成された画像データの撮影時刻を表す撮影時刻情報を取得する取得手段と、
前記取得手段で取得された撮影時刻情報に基づいて、前記撮影が行われている場合に、前記ファンの回転速度を低減または前記ファンの回転を停止する音低減処理を行う低減手段と、
を有し、
前記取得手段は、動画像データに関する撮影時刻情報として、前記動画像データのフレーム毎に、そのフレームの撮影時刻を表す撮影時刻情報を取得し、
前記低減手段は、前記取得手段で取得された撮影時刻情報によって表された撮影時刻が、順次更新され、且つ、現在時刻と異なる場合に、前記音低減処理を行う
ことを特徴とする画像表示装置。
【請求項１４】
前記音低減処理は、前記ファンの回転速度を低減する処理である
ことを特徴とする請求項１〜１３のいずれか１項に記載の画像表示装置。
【請求項１５】
前記音低減処理は、前記ファンの回転を停止する処理である
ことを特徴とする請求項１〜１３のいずれか１項に記載の画像表示装置。
【請求項１６】
撮影装置と、直接接続または記録装置を介して接続され、内部の温度を低減するためのファンを備えた画像表示装置の制御方法であって、
前記撮影装置が被写体を撮影することによって生成された画像データを前記撮影装置または前記記録装置で記録する画像記録処理に関連する記録処理情報を取得する取得ステップと、
前記記録処理情報に基づいて、前記画像記録処理の実行に伴い、前記ファンの回転速度を低減または前記ファンの回転を停止する音低減処理を行う低減ステップと、
を有することを特徴とする画像表示装置の制御方法。
【請求項１７】
撮影装置と、直接接続または記録装置を介して接続され、内部の温度を低減するためのファンを備えた画像表示装置の制御方法であって、
前記撮影装置が被写体を撮影することによって生成された画像データを記録する指示を示す情報であって、前記撮影装置で生成された情報である記録処理情報を取得する取得ステップと、
前記取得ステップにおいて前記記録処理情報が取得されたことに応じて、前記ファンの回転速度を低減または前記ファンの回転を停止する音低減処理を行う低減ステップと、
を有することを特徴とする画像表示装置の制御方法。
【請求項１８】
内部の温度を低減するためのファンを備えた画像表示装置の制御方法であって、
撮影装置が被写体を撮影することによって生成された画像データの撮影時刻を表す撮影時刻情報を取得する取得ステップと、
前記取得ステップで取得された撮影時刻情報に基づいて、前記撮影が行われている場合に、前記ファンの回転速度を低減または前記ファンの回転を停止する音低減処理を行う低減ステップと、
を有し、
前記取得ステップでは、動画像データに関する撮影時刻情報として、前記動画像データのフレーム毎に、そのフレームの撮影時刻を表す撮影時刻情報を取得し、
前記低減ステップでは、前記取得ステップで取得された撮影時刻情報によって表された撮影時刻が、順次更新され、且つ、現在時刻と異なる場合に、前記音低減処理を行う
ことを特徴とする画像表示装置の制御方法。
【請求項１９】
請求項１６〜１８のいずれか１項に記載の画像表示装置の制御方法の各ステップをコンピュータに実行させるためのプログラム。
【発明の詳細な説明】
【技術分野】
【０００１】
本発明は、画像表示装置及びその制御方法に関する。
【背景技術】
【０００２】
近年、フィルムカメラの代わりにデジタルビデオカメラを用いた撮影が行われる機会が増している。また、映像制作のワークフローとして、映像制作の各工程（撮影工程、現像工程、編集工程、等）でデジタル画像データを使用するワークフロー（ファイルベースのワークフロー）が用いられる機会が増している。
【０００３】
ファイルベースのワークフローの撮影工程では、ＲＡＷ画像データ、Ｌｏｇ画像データ、等の非圧縮の画像データが、撮影装置（カメラ）から出力される。そして、撮影工程後の現像工程において、カメラから出力された画像データに、“グレーディング”と呼ばれる画像処理が施される。グレーディングは、例えば、画像データに基づく画像を表示する画像表示装置のガンマ特性に応じて画像データの階調値を変更する画像処理、画像データが表す被写体の色を、人間が被写体を見たときに当該人間が知覚する色に近づける画像処理、等である。
【０００４】
従来、現像工程は、撮影工程とは異なる時刻と場所で行われるのが一般的であった。しかしながら、機器の性能向上やサイズダウンに伴い、撮影工程と同じ場所でグレーディングが行われる機会が増している。そして、撮影工程と同じ場所でグレーディング結果である画像を確認する機会も増している。以後、撮影工程と同じ場所で行われるグレーディングを、撮影工程と異なる場所で行われるグレーディングと区別して、“オンセットグレーディング”と記載する。
【０００５】
撮影装置が被写体を撮影することによって生成された動画像データを記録する場合、動画像データの撮影期間に被写体から発せられた音声を表す音声データも記録するのが一般的である。しかしながら、オンセットグレーディングを行う電子機器（パーソナルコンピュータ、画像表示装置、等）、及び、オンセットグレーディング結果を確認するための電子機器（画像表示装置）は、撮影装置の近傍で使用されることが多い。そのため、上記画像表示装置（オンセットグレーディングを行う画像表示装置、及び、オンセットグレーディング結果を確認するための画像表示装置）の音を雑音として表す音声データが記録されてしまうことがある。
【０００６】
特許文献１には、音声データの記録を行う記録装置が開示されている。特許文献１に開示の記録装置は、音声データの記録開始に伴い、記録装置が有するファンの回転を停止する。しかしながら、記録装置が画像表示装置と一体の装置であるとは限らない。そのため、特許文献１に開示の技術を用いたとしても、音声データの記録を行う記録装置の音しか低減することができず、画像表示装置の音を低減することができないことがある。
【０００７】
特許文献２には、音声データのレベル（音声レベル）を増幅する増幅器を冷却するファンの回転速度を制御する制御装置が開示されている。特許文献２に開示の制御装置は、増幅器が音声レベルを強制的に低減しているミュート期間において、ファンの回転速度を低減する。しかしながら、音声データの記録がミュート期間に行われるとは限らない。そのため、特許文献２に開示の技術を用いたとしても、画像表示装置の音を雑音として表す音声データが記録されてしまうことがある。
【先行技術文献】
【特許文献】
【０００８】
【特許文献１】特開２００７−４８７２号公報
【特許文献２】特開２００１−１６８６４６号公報
【発明の概要】
【発明が解決しようとする課題】
【０００９】
本発明は、画像表示装置から発せられる音を低減する処理を適切且つ効果的に行うことができる技術を提供することを目的とする。
【課題を解決するための手段】
【００１０】
本発明の第１の態様は、
撮影装置と、直接接続または記録装置を介して接続可能な画像表示装置であって、
前記画像表示装置の内部の温度を低減するためのファンと、
前記撮影装置が被写体を撮影することによって生成された画像データを前記撮影装置または前記記録装置で記録する画像記録処理に関連する記録処理情報を取得する第１取得手段と、
前記記録処理情報に基づいて、前記画像記録処理の実行に伴い、前記ファンの回転速度
を低減または前記ファンの回転を停止する音低減処理を行う低減手段と、
を有することを特徴とする画像表示装置である。
【００１１】
本発明の第２の態様は、
撮影装置と、直接接続または記録装置を介して接続可能な画像表示装置であって、
前記画像表示装置の内部の温度を低減するためのファンと、
前記撮影装置が被写体を撮影することによって生成された画像データを記録する指示を示す情報であって、前記撮影装置で生成された情報である記録処理情報を取得する第１取
得手段と、
前記第１取得手段により前記記録処理情報が取得されたことに応じて、前記ファンの回転速度を低減または前記ファンの回転を停止する音低減処理を行う低減手段と、
を有することを特徴とする画像表示装置である。
本発明の第３の態様は、
画像表示装置であって、
前記画像表示装置の内部の温度を低減するためのファンと、
撮影装置が被写体を撮影することによって生成された画像データの撮影時刻を表す撮影時刻情報を取得する取得手段と、
前記取得手段で取得された撮影時刻情報に基づいて、前記撮影が行われている場合に、前記ファンの回転速度を低減または前記ファンの回転を停止する音低減処理を行う低減手段と、
を有し、
前記取得手段は、動画像データに関する撮影時刻情報として、前記動画像データのフレーム毎に、そのフレームの撮影時刻を表す撮影時刻情報を取得し、
前記低減手段は、前記取得手段で取得された撮影時刻情報によって表された撮影時刻が、順次更新され、且つ、現在時刻と異なる場合に、前記音低減処理を行う
ことを特徴とする画像表示装置である。
【００１２】
本発明の第４の態様は、
撮影装置と、直接接続または記録装置を介して接続され、内部の温度を低減するためのファンを備えた画像表示装置の制御方法であって、
前記撮影装置が被写体を撮影することによって生成された画像データを前記撮影装置または前記記録装置で記録する画像記録処理に関連する記録処理情報を取得する取得ステップと、
前記記録処理情報に基づいて、前記画像記録処理の実行に伴い、前記ファンの回転速度を低減または前記ファンの回転を停止する音低減処理を行う低減ステップと、
を有することを特徴とする画像表示装置の制御方法である。
【００１３】
本発明の第５の態様は、
撮影装置と、直接接続または記録装置を介して接続され、内部の温度を低減するためのファンを備えた画像表示装置の制御方法であって、
前記撮影装置が被写体を撮影することによって生成された画像データを記録する指示を示す情報であって、前記撮影装置で生成された情報である記録処理情報を取得する取得ステップと、
前記取得ステップにおいて前記記録処理情報が取得されたことに応じて、前記ファンの回転速度を低減または前記ファンの回転を停止する音低減処理を行う低減ステップと、
を有することを特徴とする画像表示装置の制御方法。
本発明の第６の態様は、
内部の温度を低減するためのファンを備えた画像表示装置の制御方法であって、
撮影装置が被写体を撮影することによって生成された画像データの撮影時刻を表す撮影時刻情報を取得する取得ステップと、
前記取得ステップで取得された撮影時刻情報に基づいて、前記撮影が行われている場合に、前記ファンの回転速度を低減または前記ファンの回転を停止する音低減処理を行う低減ステップと、
を有し、
前記取得ステップでは、動画像データに関する撮影時刻情報として、前記動画像データのフレーム毎に、そのフレームの撮影時刻を表す撮影時刻情報を取得し、
前記低減ステップでは、前記取得ステップで取得された撮影時刻情報によって表された撮影時刻が、順次更新され、且つ、現在時刻と異なる場合に、前記音低減処理を行う
ことを特徴とする画像表示装置の制御方法である。
【００１４】
本発明の第７の態様は、上述した画像表示装置の制御方法の各ステップをコンピュータに実行させるためのプログラムである。
【発明の効果】
【００１５】
本発明によれば、画像表示装置から発せられる音を低減する処理を適切且つ効果的に行うことができる。
【図面の簡単な説明】
【００１６】
【図１】実施例１に係る制御システムの構成例を示す図
【図２】実施例１に係る画像表示装置の構成の一例を示すブロック図
【図３】実施例１に係る機能制御部の処理の流れの一例を示すフローチャート
【図４】実施例２に係る画像表示装置の構成の一例を示すブロック図
【図５】実施例２に係る機能制御部の処理の流れの一例を示すフローチャート
【図６】実施例３に係る画像表示装置の構成の一例を示すブロック図
【図７】実施例３に係る機能制御部の処理の流れの一例を示すフローチャート
【図８】実施例４に係る画像表示装置の構成の一例を示すブロック図
【図９】実施例４に係る機能制御部の処理の流れの一例を示すフローチャート
【図１０】実施例５に係る画像表示装置の構成の一例を示すブロック図
【図１１】実施例５に係る機能制御部の処理の流れの一例を示すフローチャート
【発明を実施するための形態】
【００１７】
＜実施例１＞
以下、本発明の実施例１に係る画像表示装置及びその制御方法について説明する。本発明は、液晶表示装置、有機ＥＬ表示装置、プラズマ表示装置、等のいかなる画像表示装置にも適用可能である。
【００１８】
図１（Ａ）は、本実施例に係る制御システムの構成例を示す図である。図１（Ａ）の制御システムは、例えば、オンセットグレーディングを行う際に使用される。オンセットグレーディングは、撮影工程と同じ場所で行われるグレーディングである。グレーディングは、例えば、画像データに基づく画像を表示する画像表示装置のガンマ特性に応じて画像データの階調値を変更する画像処理、画像データが表す被写体の色を、人間が被写体を見たときに当該人間が知覚する色に近づける画像処理、等である。図１（Ａ）に示すように、本実施例に係る制御システムは、撮影装置１０１、マイクロフォン１０２、記録・再生装置１０３、及び、画像表示装置１０４を有する。
【００１９】
撮影装置１０１は、被写体を撮影することによって画像データ（静止画像データや動画像データ）を生成する。
マイクロフォン１０２は、マイクロフォン１０２に入力された音声を表す音声データを生成する。例えば、マイクロフォン１０２には、撮影装置１０１の撮影期間に被写体から発せられた音声が入力される。マイクロフォン１０２は、撮影装置１０１の近傍に配置されることが多い。マイクロフォン１０２は、撮影装置１０１と一体の装置であってもよい。
記録・再生装置１０３は、記録・再生装置１０３に入力された画像データと音声データの記録を行う記録装置としての機能、及び、記録された画像データと音声データの再生を行う再生装置としての機能を有する。記録・再生装置１０３は、撮影装置１０１と一体の
装置であってもよい。
画像表示装置１０４は、画像表示装置１０４に入力された画像データに基づく画像を表示する。
【００２０】
撮影装置１０１の入力端子Ｂとマイクロフォン１０２の出力端子Ａとは互いに接続されており、マイクロフォン１０２で生成された音声データは、出力端子Ａと入力端子Ｂを介して撮影装置１０１に入力される。
【００２１】
撮影装置１０１の出力端子Ｃと記録・再生装置１０３の入力端子Ｄとは互いに接続されており、撮影装置１０１で生成された画像データ、及び、撮影装置１０１に入力された音声データは、出力端子Ｃと入力端子Ｄを介して記録・再生装置１０３に入力される。
【００２２】
撮影装置１０１は、記録・再生装置１０３の動作を制御することができる。記録・再生装置１０３は、撮影装置１０１からの指示に応じて、記録・再生装置１０３に入力された画像データと音声データの記録、記録された画像データと音声データの再生、等を行う。記録や再生の指示も、撮影装置１０１から出力端子Ｃと入力端子Ｄを介して記録・再生装置１０３に入力される。画像データと音声データは、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、等の記憶媒体に記録される。上記記憶媒体は、記録・再生装置１０３に設けられていてもよいし、記録・再生装置１０３とは別体の装置に設けられていてもよい。
【００２３】
また、撮影装置１０１は、無線送信部を有しており、無線送信部から無線信号を出力する。無線送信部としては、無線信号を送受信可能な無線ＬＡＮモジュールを使用することができる。
【００２４】
記録・再生装置１０３の出力端子Ｅと画像表示装置１０４の入力端子Ｆとは互いに接続されており、記録・再生装置１０３から出力端子Ｅと入力端子Ｆを介して画像表示装置１０４に画像データが入力される。例えば、記録・再生装置１０３（記憶媒体）が記憶している画像データの再生が行われた場合には、再生された画像データが画像表示装置１０４に入力される。そして、それ以外の場合には、記録・再生装置１０３に入力された画像データが画像表示装置１０４に入力される。本実施例では、記録・再生装置１０３が、画像データを含むＳＤＩ（Ｓｅｒｉａｌ  Ｄｉｇｉｔａｌ  Ｉｎｔｅｒｆａｃｅ）信号を画像表示装置１０４に出力する例を説明する。なお、記録・再生装置１０３から画像表示装置１０４に出力される信号の規格は特に限定されない。
なお、図１（Ａ）では、撮影装置１０１が、記録・再生装置１０３を介して、画像表示装置１０４と接続される構成を例示したが、図１（Ｂ）に示すように、撮影装置１０１が記録・再生装置１０３の機能を内蔵する場合は、撮影装置１０１の出力端子Ｃと画像表示装置１０４の入力端子Ｆとが直接接続される構成であってもよい。この場合、撮影装置１０１が、画像データを記録可能な記録媒体（メモリ）１０５を含む。記録媒体（メモリ）１０５は、備え付けのハードディスクであってもよいし、可般型のＣＦ（Ｃｏｍｐａｃｔ
Ｆｌａｓｈ）メモリカードや、ＳＤ（Ｓｅｃｕｒｅ  Ｄｉｇｉｔａｌ）メモリカード等であってもよい。
また、図１（Ｃ）に示すように、撮影装置１０１に、記録・再生装置１０３と画像表示装置１０４とが接続される構成であってもよい。この場合、撮影装置１０１の出力端子Ｃと画像表示装置１０４の入力端子Ｆと直接接続され、撮影装置１０１の出力端子Ｇと記録・再生装置１０３の入力端子Ｄとが接続される。
また、図１（Ｄ）に示すように、撮影装置１０１が、画像表示装置１０４を介して、記録・再生装置１０３と接続される構成であってもよい。この場合、撮影装置１０１の出力端子Ｃと画像表示装置１０４の入力端子Ｆとが接続され、画像表示装置１０４の出力端子Ｈと記録・再生装置１０３の入力端子Ｄとが接続される。画像表示装置１０４は、撮影装
置１０１から入力された画像データを、そのままスルーで記録・再生装置１０３に出力してもよいし、現像処理や復号処理等を施して記録・再生装置１０３に出力してもよい。
【００２５】
図２は、画像表示装置１０４の構成の一例を示すブロック図である。
ＳＤＩレシーバ１１は、画像表示装置１０４に入力されたＳＤＩ信号をデコードし、デコードされたＳＤＩ信号を画像処理部１２に出力する。
画像処理部１２は、ＳＤＩレシーバ１１から出力されたＳＤＩ信号に含まれている画像データに所定の画像処理を施し、所定の画像処理が施された画像データをパネル制御部１３に出力する。所定の画像処理は、例えば、上述したオンセットグレーディングである。パネル制御部１３は、画像処理部１２から出力された画像データに応じて表示パネル１４を駆動する。例えば、パネル制御部１３は、画像処理部１２から出力された画像データに応じた駆動電圧および駆動タイミングで、表示パネル１４の各表示素子を駆動する。
表示パネル１４は、画像表示装置１０４に入力された画像データに基づく画像を表示する。具体的には、表示パネル１４は、パネル制御部１３によって駆動されることにより、画像処理部１２から出力された画像データに応じた画像を画面に表示する。
【００２６】
無線受信部２１は、撮影装置１０１から送信された無線信号を受信する。本実施例では、送信レベル情報と処理情報がパケット内に格納された無線信号が、撮影装置１０１から送信される。処理情報は、記録処理情報と再生処理情報を含む。そのため、無線受信部２１によって、送信レベル情報を取得する処理（第３取得処理）、記録処理情報を取得する処理（第１取得処理）、及び、再生処理情報を取得する処理（第６取得処理）が行われる。送信レベル情報は、撮影装置１０１が無線信号を送信した際の無線信号のレベル（電力）である送信レベルを表す情報である。
記録処理情報は、撮影装置１０１が被写体を撮影することによって生成された動画像データと、動画像データの撮影期間にマイクロフォン１１２に入力された音声を表す音声データと、を記録する動画記録処理に関連する情報である。例えば、記録処理情報は、動画記録処理の実行状態を示す情報である。具体的には、記録処理情報は、動画記録処理が行われているか否かを示す情報、動画記録処理が開始されたか否かを示す情報、動画記録処理が終了されたか否かを示す情報、等である。また、記録処理情報は、撮影装置１０１から記録・再生装置１０３への動画記録処理の開始指示や終了指示を示す情報であってもよいし、撮影装置１０１内部の記録媒体（メモリ）への動画記録処理の開始指示や終了指示を示す情報であってもよい。
再生処理情報は、動画記録処理によって記録された動画像データを画像表示装置１０４に入力する動画再生処理に関連する情報である。例えば、再生処理情報は、動画再生処理の実行状態を示す情報である。具体的には、再生処理情報は、動画再生処理が行われているか否かを示す情報、動画再生処理が開始されたか否かを示す情報、動画再生処理が終了されたか否かを示す情報、等である。また、再生処理情報は、撮影装置１０１から記録・再生装置１０３への動画再生処理の開始指示や終了指示を示す情報であってもよいし、撮影装置１０１内部の記録媒体（メモリ）から画像データを読み出して再生する動画再生処理の開始指示や終了指示を示す情報であってもよい。
【００２７】
なお、第３取得処理、第１取得処理、及び、第６取得処理の少なくともいずれかは、無線受信部２１とは異なる機能部によって行われてもよい。送信レベル情報、記録処理情報、及び、再生処理情報の少なくともいずれかは、無線で取得されるのではなく、ケーブルを用いて取得されてもよい。送信レベル情報、記録処理情報、及び、再生処理情報の少なくともいずれかは、ユーザーが画像表示装置１０４に入力する情報であってもよい。記録処理情報と再生処理情報の少なくとも一方は、記録・再生装置１０３から取得されてもよい。即ち、記録処理情報と再生処理情報は、撮影装置１０１から直接取得されてもよいし、撮影装置１０１から間接的に取得されてもよい。
【００２８】
受信レベル測定部２２は、無線受信部２１が無線信号を受信した際の無線信号のレベルである受信レベルを測定し、測定結果（受信レベルを表す受信レベル情報）を距離演算部２４に出力する。
送信レベル情報取得部２３は、無線受信部２１で受信された無線信号から送信レベル情報を抽出し、送信レベル情報を距離演算部２４に出力する。
【００２９】
距離演算部２４は、撮影装置１０１と画像表示装置１０４との間の距離を表す距離情報を取得する（第２取得処理）。そして、距離演算部２４は、距離情報を機能制御部２７に出力する。本実施例では、距離演算部２４は、受信レベル情報によって表された受信レベルと、送信レベル情報によって表された送信レベルと、の比に基づいて、距離情報を生成する。具体的には、以下の式１を用いて、無線信号の伝搬距離ｄ［ｍ］が、撮影装置１０１と画像表示装置１０４との間の距離として算出される。式１は、フリスの公式である。式１において、λは無線信号の波長［ｍ］であり、Ｇｔは無線信号の送信利得であり、Ｇｒは無線信号の受信利得であり、Ｐｔは無線信号の送信レベル［Ｗ］であり、Ｐｒは無線信号の受信レベル［Ｗ］である。波長λ、送信利得Ｇｔ、及び、受信利得Ｇｒは、無線信号の通信規格に応じて予め定められた固定値である。
ｄ＝（λ・（Ｇｔ・Ｇｒ・Ｐｔ）０．５）／（４π（Ｐｒ）０．５）・・・（式１）
【００３０】
なお、距離情報の取得方法は、上記方法に限らない。例えば、送信レベル情報を取得せずに、受信レベルのみを変数として用いて距離情報が生成されてもよい。具体的には、送信レベルＰｔとして所定値を使用して距離ｄが算出されてもよい。また、受信レベルの大きさが画像表示装置１０４と撮影装置１０１との間の距離として使用されてもよい。画像表示装置１０４と撮影装置１０１との間の距離がＧＰＳ（Ｇｌｏｂａｌ  Ｐｏｓｉｔｉｏｎｉｎｇ  Ｓｙｓｔｅｍ）を用いて算出されてもよい。距離情報は、ユーザーが画像表示装置１０４に入力する情報であってもよい。
【００３１】
処理情報取得部２５は、無線受信部２１で受信された無線信号から処理情報を抽出し、処理情報を機能制御部２７に出力する。
温度センサ２６は、画像表示装置１０４の内部の温度を測定し、測定結果（温度を表す温度情報）を機能制御部２７に出力する。
【００３２】
機能制御部２７は、距離演算部２４から出力された距離情報、処理情報取得部２５から出力された処理情報、及び、温度センサ２６から出力された温度情報に基づいて、制御信号を生成する。詳細は後述するが、機能制御部２７は、必要に応じて、画像表示装置１０４から発せられる音（モニタ音）を低減する音低減処理を実現する制御信号を生成する。ファン２９が回転している場合、ファン２９の回転音がモニタ音となる。そこで、本実施例では、機能制御部２７は、音低減処理を実現する制御信号として、ファン２９の回転速度を低減する処理を実現する制御信号を生成する。機能制御部２７は、生成した制御信号をファン制御回路２８に出力する。
【００３３】
ファン制御回路２８は、機能制御部２７から出力された制御信号に応じて、ファン２９の回転速度を制御する。
ファン２９が回転することによって、画像表示装置１０４の内部の温度が低減される。
【００３４】
図３は、機能制御部２７の処理の流れの一例を示すフローチャートである。
まず、Ｓ１０１において、機能制御部２７が、温度センサ２６から温度情報を取得する（Ｓ１０１）。その後、Ｓ１０２に処理が進められる。
Ｓ１０２では、機能制御部２７が、Ｓ１０１で取得した温度情報によって表された温度が第１閾値未満であるか否かを判定する。温度が第１閾値未満である場合にはＳ１０３に処理が進められ、温度が第１閾値以上である場合にはＳ１１４に処理が進められる。第１
閾値としては、例えば、画像表示装置１０４の故障が生じる可能性が非常に高い温度が使用される。
【００３５】
Ｓ１１４では、機能制御部２７が、画像表示装置１０４の内部の温度が第１閾値以上に上昇しているため、画像表示装置１０４を強制的にシャットダウンするシャットダウン制御を行う。Ｓ１１４の処理を行うことにより、画像表示装置１０４の内部の温度が上昇することによって画像表示装置１０４の故障が生じることを抑制することができる。
【００３６】
Ｓ１０３では、機能制御部２７が、距離情報と処理情報に基づくファン制御を行う動作モード（自動ファン制御モード）が設定されているか否かを判定する。自動ファン制御モードが設定されている場合にはＳ１０４に処理が進められ、自動ファン制御モードが設定されていない場合にはＳ１１３に処理が進められる。
【００３７】
Ｓ１１３では、機能制御部２７が、ファン２９を所定の回転速度（通常回転速度）で駆動する制御信号を出力する。それにより、ファン２９は、通常回転速度で駆動される。Ｓ１１３の処理を行うことにより、画像表示装置１０４の内部の温度が上昇することを抑制することができ、画像表示装置１０４の故障が生じることを抑制することができる。
【００３８】
Ｓ１０４では、機能制御部２７が、Ｓ１０１で取得した温度情報によって表された温度が第２閾値未満であるか否かを判定する。温度が第２閾値未満である場合にはＳ１０８に処理が進められ、温度が第２閾値以上である場合にはＳ１０５に処理が進められる。第２閾値としては、例えば、画像表示装置１０４の故障が生じる可能性が低い温度が使用される。
【００３９】
Ｓ１０５では、機能制御部２７が、Ｓ１０１で取得した温度情報によって表された温度が第３閾値未満であるか否かを判定する。温度が第３閾値未満である場合にはＳ１０６に処理が進められ、温度が第３閾値以上である場合にはＳ１０７に処理が進められる。第３閾値としては、例えば、画像表示装置１０４の故障が生じる可能性が高い温度が使用される。
第１閾値、第２閾値、及び、第３閾値の大小関係は、“第１閾値＞第３閾値＞第２閾値”である。第１閾値、第２閾値、及び、第３閾値は、メーカー等によって予め定められた値であってもよいし、ユーザーが変更可能な値であってもよい。
【００４０】
Ｓ１０６では、画像表示装置１０４の内部の温度が第２閾値以上に上昇しているため、機能制御部２７が第１通知処理を行う。第１通知処理では、画像表示装置１０４の内部の温度を低減するための作業の実行をユーザーに促す通知が行われる。例えば、第１通知処理により、「機内温度が上昇しています。電源をオフしてください。」、「機内温度が上昇しています。画面輝度を下げてください。」、「機内温度が間もなく通常ファン動作開始温度に到達します。」等のメッセージ画像が画面に表示される。その後、Ｓ１０８に処理が進められる。Ｓ１０６の処理を行うことにより、画像表示装置１０４の内部の温度を低減するための作業の実行をユーザーに促すことができ、画像表示装置１０４の故障が生じることを抑制することができる。
なお、画像表示以外の方法で通知が行われてもよい。例えば、音声を発することによって通知が行われてもよい。
【００４１】
Ｓ１０７では、画像表示装置１０４の温度が第３閾値以上に上昇しているため、機能制御部２７が第２通知処理を行う。第２通知処理では、通常回転速度でファン２９を駆動するファン制御の開始が通知される。例えば、第２通知処理により、「機内温度が規定値を超えたため通常ファン動作を開始します。」といったメッセージ画像が画面に表示される。その後、Ｓ１１３に処理が進められる。Ｓ１０７の処理を行うことにより、ファン２９
の回転速度が通常回転速度に戻されること、及び、その原因をユーザーが把握可能となる。
【００４２】
Ｓ１０８では、機能制御部２７が、処理情報取得部２５から処理情報を取得する。その後、Ｓ１０９に処理が進められる。
Ｓ１０９では、機能制御部２７が、Ｓ１０８で取得した処理情報に基づいて、動画記録処理または動画再生処理が行われているか否かを判定する。動画記録処理が行われている場合、モニタ音を雑音として表す音声データが記録されてしまうことがある。そして、動画再生処理が行われている場合、再生された動画像データを確認する確認作業をユーザーが行っている可能性が高く、モニタ音が雑音として確認作業に悪影響を及ぼす。一方、動画記録処理と動画再生処理のいずれも行われていない場合には、モニタ音は本実施例に係る制御システムを用いた種々の処理や作業に悪影響を及ぼさないと考えられる。そのため、動画記録処理または動画再生処理が行われている場合にはＳ１１０に処理が進められ、動画記録処理と動画再生処理のいずれも行われていない場合にはＳ１１３に処理が進められる。
【００４３】
Ｓ１１０では、機能制御部２７が、距離演算部２４から距離情報を取得する。その後、Ｓ１１１に処理が進められる。
Ｓ１１１では、機能制御部２７が、Ｓ１１０で取得した距離情報によって表された距離（撮影装置１０１と画像表示装置１０４との間の距離）が第４閾値未満であるか否かを判定する。撮影装置１０１と画像表示装置１０４との間の距離が短い場合、モニタ音が大きい音声データが記録されてしまう。一方、撮影装置１０１と画像表示装置１０４との間の距離が十分に長い場合、モニタ音が無視できる程度に小さい音声データ、または、モニタ音を表さない音声データを記録することができる。そのため、距離が第４閾値未満である場合にはＳ１１２に処理が進められ、距離が第４閾値以上である場合にはＳ１１３に処理が進められる。第４閾値としては、例えば、モニタ音の大きさが許容範囲内の大きさである音声データを得ることができる距離が使用される。第４閾値は、メーカー等によって予め定められた値であってもよいし、ユーザーが変更可能な値であってもよい。
【００４４】
Ｓ１１２では、機能制御部２７が、音低減処理を実現する制御信号を出力する。具体的には、ファン２９の駆動を停止する制御信号を出力する。それにより、ファン２９の駆動が停止され、モニタ音が処理や作業に悪影響を及ぼすことを抑制することができる。
なお、音低減処理を実現する制御信号として、ファン２９を通常回転速度よりも低い回転速度で駆動する制御信号が使用されてもよい。撮影装置１０１と画像表示装置１０４との間の距離が長いときに距離が短いときに比べて低い回転速度でファン２９の回転速度が連続的または段階的に制御されてもよい。
また、Ｓ１１２では、音低減処理を予め定められた期間だけ行うようにして、ファン２９の駆動停止または回転速度低下により画像表示装置１０４の温度が大きく上昇してしまうのを防ぐようにしてもよい。
【００４５】
以上述べたように、本実施例によれば、撮影装置と画像表示装置との間の距離が閾値未満であり、且つ、動画記録処理が行われている場合に、音低減処理が行われる。また、本実施例によれば、動画記録処理が行われている場合にも音低減処理が行われる。それにより、音低減処理を適切且つ効果的に行うことができる。
【００４６】
撮影装置と画像表示装置との間の距離が閾値未満であり、且つ、動画記録処理が行われている場合には、モニタ音が無視できない程度に大きい音声データが記録されてしまう可能性が非常に高い。本実施例によれば、そのような場合に音低減処理を行うことにより、モニタ音が無視できる程度に小さい音声データ、または、モニタ音を表さない音声データを記録することができる。
また、動画再生処理が行われている場合には、モニタ音が上述した確認作業に悪影響を及ぼす可能性が非常に高い。本実施例によれば、そのような場合に音低減処理を行うことにより、モニタ音が確認作業に悪影響を及ぼすことを抑制することができる。
そして、これら以外の場合には、モニタ音が処理や作業に悪影響を及ぼす可能性は非常に低い。本実施例によれば、そのような場合に音低減処理が省略されるため、無駄な音低減処理の実行を抑制することができる。
【００４７】
なお、本実施例では、画像表示装置の内部の温度が上昇することによって画像表示装置の故障が生じることを抑制するために画像表示装置の内部の温度を考慮したが、画像表示装置の内部の温度は考慮しなくてもよい。例えば、図３のＳ１０８以前の処理（Ｓ１０１〜Ｓ１０７とＳ１１４の処理）が省略され、図３のＳ１０８以降の処理（Ｓ１０８〜Ｓ１１３）が行われてもよい。
【００４８】
なお、本実施例では、撮影装置と画像表示装置との間の距離が閾値未満であり、且つ、動画再生処理が行われている場合に、音低減処理が行われる例を説明したが、これに限らない。モニタ音が上述した確認作業に及ぼす悪影響と、距離情報によって表された距離と、は無関係である。そのため、動画再生処理が行われている場合には、撮影装置と画像表示装置との間の距離に拘らず、音低減処理が行われてもよい。動画再生処理の実行時における音低減処理は省略されてもよい。動画再生処理の実行時における音低減処理が省略されても、“モニタ音が無視できる程度に小さい音声データ、または、モニタ音を表さない音声データを記録することができる”という上記効果を得ることができる。
【００４９】
なお、本実施例では、ファンの回転速度を低減する処理が音低減処理として行われる例を説明したが、これに限らない。例えば、音声を発するスピーカーを画像表示装置が有しており、スピーカーの音量を低減する処理が音低減処理として行われてもよい。ファンの回転速度を低減する処理と、スピーカーの音量を低減する処理と、の両方が音低減処理として行われてもよい。スピーカーは、例えば、撮影装置から記録・再生装置を介して画像表示装置に入力された音声データ、記録・再生装置で再生された音声データ、等の音声データに基づく音声を発する。
なお、自動ファン制御モードが設定されている場合には、図３のＳ１１３において、ファンの回転速度が通常回転速度よりも高い回転速度に制御されてもよい。
【００５０】
＜実施例２＞
以下、本発明の実施例２に係る画像表示装置及びその制御方法について説明する。
なお、以下では、実施例１と異なる構成や処理について説明し、実施例１と同様の構成や処理についての説明は省略する。
【００５１】
本実施例に係る制御システムの構成は、実施例１（図１（Ａ））と同じである。
本実施例では、撮影装置１０１は、無線送信部を有しておらず、ＧＰＳレシーバ（ＧＰＳモジュール）を有する。撮影装置１０１は、ＧＰＳレシーバの受信信号に基づいて、撮影装置１０１の位置を表すＧＰＳ位置情報（第１位置情報；撮影位置情報）を生成する。そして、撮影装置１０１は、生成した撮影位置情報と、実施例１で述べた記録処理情報と、を記録・再生装置１０３に出力する。
また、本実施例では、記録・再生装置１０３は、画像データ、撮影位置情報、及び、記録処理情報を含むＳＤＩ信号を、画像表示装置１０４に出力する。撮影位置情報と記録処理情報は、アンシラリーデータとしてＳＤＩ信号に含まれている。
【００５２】
図４は、本実施例に係る画像表示装置１０４の構成の一例を示すブロック図である。図４において、実施例１（図２）と同じ機能部には実施例１と同じ符号を付し、その説明は省略する。上述したように、本実施例では、画像データ、撮影位置情報、及び、記録処理
情報を含むＳＤＩ信号が画像表示装置１０４に入力される。そのため、本実施例では、ＳＤＩレシーバ１１によって、記録処理情報を取得する処理（第１取得処理）と、撮影位置情報を取得する処理（第４取得処理）とが行われる。
【００５３】
なお、第１取得処理と第４取得処理の少なくとも一方は、ＳＤＩレシーバ１１とは異なる機能部によって行われてもよい。記録処理情報は、ユーザーが画像表示装置１０４に入力する情報であってもよい。記録処理情報と撮影位置情報の少なくとも一方は、撮影装置１０１から直接取得されてもよい。
【００５４】
アンシラリーデータ取得部３１は、ＳＤＩレシーバ１１から出力されたＳＤＩ信号（デコードされたＳＤＩ信号）からアンシラリーデータを抽出し、アンシラリーデータを処理情報取得部３２と撮影位置情報取得部３３に出力する。
処理情報取得部３２は、アンシラリーデータ取得部３１から出力されたアンシラリーデータから記録処理情報を抽出し、記録処理情報を機能制御部３７に出力する。
撮影位置情報取得部３３は、アンシラリーデータ取得部３１から出力されたアンシラリーデータから撮影位置情報を抽出し、撮影位置情報を距離演算部３６に出力する。
【００５５】
ＧＰＳレシーバ３４は、３個以上のＧＰＳ衛星のそれぞれから、そのＧＰＳ衛星の時刻情報を含む信号を受信する。そして、ＧＰＳレシーバ３４は、各ＧＰＳ衛星の時刻情報を位置情報演算部３５に出力する。
位置情報演算部３５は、画像表示装置１０４の位置を表すＧＰＳ位置情報（第２位置情報；表示位置情報）を取得する。具体的には、位置情報演算部３５は、ＧＰＳレシーバ３４から出力された各ＧＰＳ衛星の時刻情報に基づいて画像表示装置１０４の位置を算出し、算出した位置を表す表示位置情報を生成する。そして、位置情報演算部３５は、表示位置情報を距離演算部３６に出力する。なお、表示位置情報の取得方法は特に限定されない。
【００５６】
距離演算部３６は、撮影位置情報取得部３３から出力された撮影位置情報と、位置情報演算部３５から出力された表示位置情報と、に基づいて、距離情報を生成する。具体的には、撮影位置情報によって表わされた位置と、表示位置情報によって表された位置と、の間の距離が、撮影装置１０１と画像表示装置１０４との間の距離として算出され、算出された距離を表す距離情報が生成される。距離演算部３６は、距離情報を機能制御部３７に出力する。なお、撮影装置１０１の位置が予め決まっている場合には、画像表示装置１０４の位置のみを変数として用いて、撮影装置１０１と画像表示装置１０４との間の距離が算出されてもよい。
【００５７】
機能制御部３７は、処理情報取得部３２から出力された記録処理情報と、距離演算部３６から出力された距離情報と、に基づいて、制御信号を生成する。詳細は後述するが、機能制御部３７は、必要に応じて、モニタ音を低減する音低減処理を実現する制御信号を生成する。モニタスピーカー３９から音声が発せられている場合、モニタスピーカー３９から発せられた音声がモニタ音となる。そこで、本実施例では、機能制御部３７は、音低減処理を実現する制御信号として、モニタスピーカー３９の音量を低減する処理を実現する制御信号を生成する。機能制御部３７は、生成した制御信号を音量制御回路３８に出力する。
【００５８】
音量制御回路３８は、機能制御部３７から出力された制御信号に応じて、モニタスピーカー３９の音量を制御する。
モニタスピーカー３９は、例えば、画像表示装置１０４に入力された動画像データに対応する音声データに基づく音声を発する。画像表示装置１０４に入力された動画像データに対応する音声データは、例えば、ＳＤＩレシーバ１１に入力されたＳＤＩ信号に含まれ
ている。
【００５９】
図５は、機能制御部３７の処理の流れの一例を示すフローチャートである。
まず、Ｓ２０１において、機能制御部３７が、距離情報と記録処理情報に基づく音量制御を行う動作モード（自動音量制御モード）が設定されているか否かを判定する。自動音量制御モードが設定されている場合にはＳ２０２に処理が進められ、自動音量制御モードが設定されていない場合にはＳ２０７に処理が進められる。
【００６０】
Ｓ２０７では、機能制御部３７が、モニタスピーカー３９の音量を通常音量（例えば、画像表示装置１０４を用いて音声付きの動画をユーザーが確認する際にユーザーが設定した音量）に制御する制御信号を出力する。それにより、モニタスピーカー３９の音量が通常音量に制御される。
【００６１】
Ｓ２０２では、機能制御部３７が、処理情報取得部３２から記録処理情報を取得する。その後、Ｓ２０３に処理が進められる。
Ｓ２０３では、機能制御部３７が、Ｓ２０２で取得した記録処理情報に基づいて、動画記録処理が行われているか否かを判定する。動画記録処理が行われている場合、モニタスピーカー３９から発せられた音声を雑音として表す音声データが記録されてしまうことがある。一方、動画記録処理が行われていない場合には、モニタスピーカー３９から発せられた音声は本実施例に係る制御システムを用いた種々の処理や作業に悪影響を及ぼさないと考えられる。そのため、動画記録処理が行われている場合にはＳ２０４に処理が進められ、動画記録処理が行われていない場合にはＳ２０７に処理が進められる。
【００６２】
実施例１で述べたように、動画再生処理が行われている場合には、再生された動画像データを確認する確認作業をユーザーが行っている可能性が高い。しかしながら、確認作業では、一般的に、再生された音声データ（再生された動画像データに対応する音声データ；再生された動画像データの撮影期間に被写体から発せられた音声を表す音声データ）も確認される。そのため、そのような確認作業に対して、モニタスピーカー３９から発せられた音声が悪影響を及ぼすことはない。
なお、再生された音声データを確認せず、再生された動画像データのみを確認する確認作業に対しては、モニタスピーカー３９から発せられた音声が雑音として悪影響を及ぼす可能性がある。そのため、そのような確認作業が行われる場合には、Ｓ２０４に処理が進められてもよい。再生された動画像データのみを画像表示装置１０４に入力する動画再生処理が行われている場合、再生された動画像データのみを確認する確認作業をユーザーが行っている可能性が高い。そのため、画像表示装置１０４は、再生された動画像データのみを画像表示装置１０４に入力する動画再生処理が行われているか否かを判定し、当該動画再生処理が行われている場合にＳ２０４に処理を進めてもよい。再生された動画像データのみを画像表示装置１０４に入力する動画再生処理が行われているか否かは、当該動画再生処理が行われているか否かを表す再生処理情報に基づいて判定することができる。再生処理情報は、記録処理情報と同様に、種々の方法で取得することができる。
【００６３】
Ｓ２０４では、機能制御部３７が、距離演算部３６から距離情報を取得する。その後、Ｓ２０５に処理が進められる。
Ｓ２０５では、機能制御部３７が、Ｓ２０４で取得した距離情報によって表された距離（撮影装置１０１と画像表示装置１０４との間の距離）が第５閾値未満であるか否かを判定する。撮影装置１０１と画像表示装置１０４との間の距離が短い場合、モニタスピーカー３９から発せられた音声が大きい音声データが記録されてしまう。一方、撮影装置１０１と画像表示装置１０４との間の距離が十分に長い場合、モニタスピーカー３９から発せられた音声が無視できる程度に小さい音声データ、または、モニタスピーカー３９から発せられた音声を表さない音声データを記録することができる。そのため、距離が第５閾値
未満である場合にはＳ２０６に処理が進められ、距離が第５閾値以上である場合にはＳ２０７に処理が進められる。第５閾値としては、例えば、モニタスピーカー３９から発せられた音声の大きさが許容範囲内の大きさである音声データを得ることができる距離が使用される。第５閾値は、メーカー等によって予め定められた値であってもよいし、ユーザーが変更可能な値であってもよい。
【００６４】
Ｓ２０６では、機能制御部３７が、音低減処理を実現する制御信号を出力する。具体的には、モニタスピーカー３９の音量を０（ミュート）に制御する制御信号を出力する。それにより、モニタスピーカー３９の音量が０に制御され、モニタスピーカー３９から発せられた音声がマイクロフォン１０２に入力されることを抑制することができる。
なお、音低減処理を実現する制御信号として、モニタスピーカー３９の音量を通常音量よりも低く且つ０よりも高い音量に制御する制御信号が使用されてもよい。撮影装置１０１と画像表示装置１０４との間の距離が長いときに距離が短いときに比べて低い音量に、モニタスピーカー３９の音量が連続的または段階的に制御されてもよい。
【００６５】
以上述べたように、本実施例によれば、撮影装置と画像表示装置との間の距離が閾値未満であり、且つ、動画記録処理が行われている場合に、モニタスピーカーの音量を低減する音低減処理が行われる。それにより、音低減処理を適切且つ効果的に行うことができる。
【００６６】
＜実施例３＞
以下、本発明の実施例３に係る画像表示装置及びその制御方法について説明する。
なお、以下では、実施例１，２と異なる構成や処理について説明し、実施例１，２と同様の構成や処理についての説明は省略する。
【００６７】
本実施例に係る制御システムの構成は、実施例１（図１（Ａ））と同じである。
本実施例では、撮影装置１０１は、撮影によって生成した画像データの撮影時刻を表す撮影時刻情報を生成し、生成した撮影時刻情報を記録・再生装置１０３に出力する。そして、記録・再生装置１０３は、画像データと、当該画像データの撮影時刻を表す撮影時刻情報と、を含むＳＤＩ信号を、画像表示装置１０４に出力する。撮影時刻情報は、アンシラリーデータとしてＳＤＩ信号に含まれている。
本実施例では、処理情報と撮影位置情報は画像表示装置１０４に入力されない。
【００６８】
図６は、本実施例に係る画像表示装置１０４の構成の一例を示すブロック図である。図６において、実施例１，２（図２，４）と同じ機能部には実施例１，２と同じ符号を付し、その説明は省略する。上述したように、本実施例では、画像データと撮影時刻情報を含むＳＤＩ信号が画像表示装置１０４に入力される。そのため、本実施例では、ＳＤＩレシーバ１１によって、撮影時刻情報が取得される。
なお、撮影時刻情報を取得する処理はＳＤＩレシーバ１１とは異なる機能部によって行われてもよい。撮影時刻情報は、撮影装置１０１から直接取得されてもよい。
【００６９】
タイムコード取得部４１は、アンシラリーデータ取得部３１から出力されたアンシラリーデータから撮影時刻情報（タイムコード）を抽出し、撮影時刻情報を機能制御部４３に出力する。
リアルタイムクロック４２は、現在時刻を計時し、現在時刻を表す現在時刻情報を生成する。そして、リアルタイムクロック４２は、現在時刻情報を機能制御部４３に出力する。
機能制御部４３は、タイムコード取得部４１から出力された撮影時刻情報、リアルタイムクロック４２から出力された現在時刻情報、及び、温度センサ２６から出力された温度情報に基づいて、制御信号を生成する。詳細は後述するが、機能制御部４３は、必要に応
じて、モニタ音を低減する音低減処理を実現する制御信号を生成する。本実施例では、機能制御部４３は、音低減処理を実現する制御信号として、ファン２９の回転速度を低減する処理を実現する制御信号を生成する。機能制御部４３は、生成した制御信号をファン制御回路２８に出力する。
【００７０】
図７は、機能制御部４３の処理の流れの一例を示すフローチャートである。
Ｓ３０１〜Ｓ３０７の処理は、実施例１（図３）のＳ１０１〜Ｓ１０７の処理と同じである。Ｓ３１２〜Ｓ３１４の処理は、実施例１（図３）のＳ１１２〜Ｓ１１４の処理と同じである。但し、本実施例では、自動ファン制御モードは、撮影時刻情報と現在時刻情報に基づくファン制御を行う動作モードである。Ｓ３０４において“温度が第２閾値未満である”と判定された場合には、Ｓ３０８に処理が進められる。また、Ｓ３０６の処理が行われた後、Ｓ３０８に処理が進められる。
【００７１】
Ｓ３０８では、機能制御部４３が、タイムコード取得部４１から撮影時刻情報を取得し、リアルタイムクロック４２から現在時刻情報を取得する。その後、Ｓ３０９に処理が進められる。
Ｓ３０９では、機能制御部４３が、Ｓ３０８で取得された撮影時刻情報に基づいて、撮影時刻情報によって表された撮影時刻が順次更新されているか否かを判定する。撮影時刻が順次更新されている場合にはＳ３１０に処理が進められ、撮影時刻が順次更新されていない場合にはＳ３１３に処理が進められる。
【００７２】
撮影時刻が順次更新されている場合にはＳ３１０に処理が進められ、撮影時刻が順次更新されていない場合にはＳ３１３に処理が進められることの理由について説明する。
ＳＤＩレシーバ１１や機能制御部４３では、動画像データに関する撮影時刻情報として、当該動画像データのフレーム毎に、そのフレームの撮影時刻を表す撮影時刻情報が取得される。そのため、動画像データに関する撮影時刻情報が取得されている場合、“撮影時刻が順次更新されている”と判定される。そして、動画再生処理が行われている場合、再生された動画像データと、再生された動画像データに関する撮影時刻情報と、が画像表示装置１０４に入力される。また、動画記録処理が行われている場合、記録対象の動画像データと、記録対象の動画像データに関する撮影時刻情報と、が画像表示装置１０４に入力されることが多い。そのため、“撮影時刻が順次更新されている”と判定された場合、動画再生処理や動画記録処理が行われている可能性が高い。そして、“撮影時刻が順次更新されていない”と判定された場合、動画再生処理や動画記録処理が行われていない可能性が高い。
以上の理由により、撮影時刻が順次更新されている場合にはＳ３１０に処理が進められ、撮影時刻が順次更新されていない場合にはＳ３１３に処理が進められる。
【００７３】
Ｓ３１０では、機能制御部４３が、Ｓ３０８で取得された撮影時刻情報と現在時刻情報に基づいて、撮影時刻情報によって表された撮影時刻が現在時刻情報によって表された現在時刻と略一致（完全一致を含む）するか否かを判定する。撮影時刻が現在時刻と異なる場合にはＳ３１２に処理が進められ、撮影時刻が現在時刻と略一致する場合にはＳ３１１に処理が進められる。
【００７４】
撮影時刻が現在時刻と異なる場合にはＳ３１２に処理が進められ、撮影時刻が現在時刻と略一致する場合にはＳ３１１に処理が進められることの理由について説明する。
動画再生処理が行われている場合、再生された動画像データの撮影時刻は、Ｓ３１０の処理が行われる時刻と異なる。また、動画記録処理が行われている場合、記録対象の動画像データの撮影時刻として、記録対象の動画像データの生成の開始時刻が使用されることが多い。そして、動画記録処理が行われている場合、記録対象の動画像データを生成するために、通常は行われない画像処理が撮影装置１０１で行われることが多い。このような
画像処理には時間を要するため、記録対象の動画像データの撮影時刻と、Ｓ３１０の処理が行われる時刻と、の間のタイムラグが生じることが多い。そのため、“撮影時刻が現在時刻と異なる”と判定された場合、動画再生処理や動画記録処理が行われている可能性が高い。そして、“撮影時刻が現在時刻と略一致する”と判定された場合、動画再生処理や動画記録処理が行われていない可能性が高く、撮影装置１０１の状態が自走状態である可能性が高い。自走状態は、例えば、撮影を順次行い、撮影によって生成された画像データを、殆ど処理を施さずに、順次出力する状態である。
以上の理由により、撮影時刻が現在時刻と異なる場合にはＳ３１２に処理が進められ、撮影時刻が現在時刻と略一致する場合にはＳ３１１に処理が進められる。
【００７５】
Ｓ３１１では、機能制御部４３が第３通知処理を行う。第３通知処理では、撮影時刻情報からは動画記録処理や動画再生処理が行われていることを検出することができない旨の通知が行われる。例えば、第３通知処理により、「フリーランモードのタイムコードであるため、自動ファン制御を行いません」等のメッセージ画像が画面に表示される。その後、Ｓ３１３に処理が進められる。
なお、第３通知処理で、通常回転速度でファン２９を駆動するファン制御の開始、等が通知されてもよい。
【００７６】
以上述べたように、本実施例によれば、画像データの撮影時刻に基づいて音低減処理の実行／非実行が制御される。それにより、音低減処理を適切且つ効果的に行うことができる。具体的には、本実施例によれば、撮影時刻が順次更新され且つ現在時刻と異なる場合に、音低減処理が行われる。撮影時刻が順次更新され且つ現在時刻と異なる場合、動画再生処理や動画記録処理が行われている可能性が高い。従って、本実施例によれば、動画再生処理や動画記録処理が行われている可能性が高い場合に、音低減処理を行うことができる。
【００７７】
＜実施例４＞
以下、本発明の実施例４に係る画像表示装置及びその制御方法について説明する。
なお、以下では、実施例１〜３と異なる構成や処理について説明し、実施例１〜３と同様の構成や処理についての説明は省略する。
【００７８】
本実施例に係る制御システムの構成は、実施例１（図１（Ａ））と同じである。本実施例では、実施例３と同様に、画像データと撮影時刻情報を含むＳＤＩ信号が、画像表示装置１０４に入力される。
【００７９】
図８は、本実施例に係る画像表示装置１０４の構成の一例を示すブロック図である。図８において、実施例１〜３（図２，４，６）と同じ機能部には実施例１〜３と同じ符号を付し、その説明は省略する。
機能制御部５１は、タイムコード取得部４１から出力された撮影時刻情報と、リアルタイムクロック４２から出力された現在時刻情報と、に基づいて、制御信号を生成する。詳細は後述するが、機能制御部５１は、必要に応じて、モニタ音を低減する音低減処理を実現する制御信号を生成する。本実施例では、機能制御部５１は、音低減処理を実現する制御信号として、モニタスピーカー３９の音量を低減する処理を実現する制御信号を生成する。機能制御部５１は、生成した制御信号を音量制御回路３８に出力する。
【００８０】
図９は、機能制御部５１の処理の流れの一例を示すフローチャートである。内部制御フロー図である。
まず、Ｓ４０１において、機能制御部５１が、撮影時刻情報と現在時刻情報に基づく音量制御を行う動作モード（自動音量制御モード）が設定されているか否かを判定する。自動音量制御モードが設定されている場合にはＳ４０２に処理が進められ、自動音量制御モ
ードが設定されていない場合にはＳ４０７に処理が進められる。
【００８１】
Ｓ４０７では、機能制御部５１が、モニタスピーカー３９の音量を通常音量に制御する制御信号を出力する。それにより、モニタスピーカー３９の音量が通常音量に制御される。
【００８２】
Ｓ４０２では、機能制御部５１が、タイムコード取得部４１から撮影時刻情報を取得し、リアルタイムクロック４２から現在時刻情報を取得する。その後、Ｓ４０３に処理が進められる。
Ｓ４０３では、機能制御部５１が、Ｓ４０２で取得された撮影時刻情報に基づいて、撮影時刻情報によって表された撮影時刻が順次更新されているか否かを判定する。撮影時刻が順次更新されている場合にはＳ４０４に処理が進められ、撮影時刻が順次更新されていない場合にはＳ４０７に処理が進められる。
【００８３】
Ｓ４０４では、機能制御部５１が、Ｓ４０２で取得された撮影時刻情報と現在時刻情報に基づいて、撮影時刻情報によって表された撮影時刻が現在時刻情報によって表された現在時刻と略一致（完全一致を含む）するか否かを判定する。撮影時刻が現在時刻と異なる場合にはＳ４０６に処理が進められ、撮影時刻が現在時刻と略一致する場合にはＳ４０５に処理が進められる。
【００８４】
Ｓ４０５では、機能制御部５１が第３通知処理を行う。例えば、第３通知処理により、「フリーランモードのタイムコードであるため、自動音量制御を行いません」等のメッセージ画像が画面に表示される。その後、Ｓ４０７に処理が進められる。
なお、第３通知処理で、モニタスピーカー３９の音量を通常音量に制御する音量制御の開始、等が通知されてもよい。
【００８５】
Ｓ４０６では、機能制御部５１が、音低減処理を実現する制御信号を出力する。具体的には、モニタスピーカー３９の音量を０（ミュート）に制御する制御信号を出力する。それにより、モニタスピーカー３９の音量が０に制御され、モニタスピーカー３９から発せられた音声がマイクロフォン１０２に入力されることを抑制することができる。
【００８６】
以上述べたように、本実施例によれば、画像データの撮影時刻に基づいて音低減処理の実行／非実行が制御される。それにより、音低減処理を適切且つ効果的に行うことができる。
【００８７】
＜実施例５＞
以下、本発明の実施例５に係る画像表示装置及びその制御方法について説明する。
なお、以下では、実施例１〜４と異なる構成や処理について説明し、実施例１〜４と同様の構成や処理についての説明は省略する。
【００８８】
本実施例に係る制御システムの構成は、実施例１（図１（Ａ））と同じである。
本実施例では、撮影装置１０１は、記録処理情報と再生処理情報がメタデータとして付加（重畳）された画像データを出力し、画像表示装置１０４は、画像データからメタデータを抽出することにより、記録処理情報と再生処理情報を取得する。
具体的には、撮影装置１０１は、画像データ、記録処理情報、及び、再生処理情報を記録・再生装置１０３に出力する。このとき、記録処理情報と再生処理情報はメタデータとして画像データに重畳されていてもいなくてもよく、記録処理情報と再生処理情報を、画像データとは別経路で無線信号で送受信してもよい。
記録・再生装置１０３は、画像データ、記録処理情報、及び、再生処理情報を含むＳＤＩ信号を、画像表示装置１０４に出力する。
記録処理情報と再生処理情報は、アンシラリーデータとしてＳＤＩ信号に含まれている。「画像データを含むＳＤＩ信号のアンシラリーデータ」は、「画像データに重畳されたメタデータ」と言える。そして、画像表示装置１０４は、アンシラリーデータから記録処理情報と再生処理情報を抽出する。
【００８９】
図１０は、画像表示装置１０４の構成の一例を示すブロック図である。図１０において、実施例１〜４（図２，４，６，８）と同じ機能部には実施例１〜４と同じ符号を付し、その説明は省略する。上述したように、本実施例では、画像データと記録処理情報を含むＳＤＩ信号が画像表示装置１０４に入力される。そのため、本実施例では、ＳＤＩレシーバ１１によって、記録処理情報を取得する処理（第１取得処理）が行われる。
【００９０】
アンシラリーデータ取得部６１は、ＳＤＩレシーバ１１から出力されたＳＤＩ信号（デコードされたＳＤＩ信号）からアンシラリーデータを抽出し、アンシラリーデータを処理情報取得部６２に出力する。
処理情報取得部６２は、アンシラリーデータ取得部６１から出力されたアンシラリーデータから記録処理情報および再生処理情報を抽出し、機能制御部６３に出力する。
なお、記録処理情報と再生処理情報は互いに異なる方法で取得されてもよい。
【００９１】
機能制御部６３は、処理情報取得部６２から出力された処理情報、及び、温度センサ２６から出力された温度情報に基づいて、制御信号を生成する。詳細は後述するが、機能制御部６３は、必要に応じて、モニタ音を低減する音低減処理を実現する制御信号を生成する。本実施例では、機能制御部６３は、音低減処理を実現する制御信号として、ファン２９の回転速度を低減する処理を実現する制御信号を生成する。機能制御部６３は、生成した制御信号をファン制御回路２８に出力する。
【００９２】
図１１は、機能制御部６３の処理の流れの一例を示すフローチャートである。
Ｓ４０１〜Ｓ４０９の処理は、実施例１（図３）のＳ１０１〜Ｓ１０９の処理と同じであり、Ｓ４１３の処理は、実施例１のＳ１１３の処理と同じであり、Ｓ４１４の処理は、実施例１のＳ１１４の処理と同じである。本実施例では、自動ファン制御モードは、処理情報に基づくファン制御を行う動作モードである。本実施例では、Ｓ４０９において“動画記録処理または動画再生処理が行われている”と判断された場合に、Ｓ４１２の処理が行われる。Ｓ４１２の処理は、実施例１のＳ１１２の処理と同じである。
【００９３】
以上述べたように、本実施例によれば、動画記録処理が行われている場合に、音低減処理が行われる。また、本実施例によれば、動画再生処理が行われている場合にも、音低減処理が行われる。それにより、音低減処理を適切且つ効果的に行うことができる。
【００９４】
本実施例の効果についてより詳細に説明する。
オンセットグレーディングでは撮影装置と画像表示装置との間の距離は短い可能性が非常に高いため、動画記録処理が行われている場合には、モニタ音が無視できない程度に大きい音声データが記録されてしまう可能性が非常に高い。本実施例によれば、そのような場合に音低減処理を行うことにより、モニタ音が無視できる程度に小さい音声データ、または、モニタ音を表さない音声データを記録することができる。
また、動画再生処理が行われている場合には、モニタ音が実施例１で述べた確認作業に悪影響を及ぼす可能性が非常に高い。本実施例によれば、そのような場合に音低減処理を行うことにより、モニタ音が確認作業に悪影響を及ぼすことを抑制することができる。
そして、これら以外の場合には、モニタ音が処理や作業に悪影響を及ぼす可能性は非常に低い。本実施例によれば、そのような場合に音低減処理が省略されるため、無駄な音低減処理の実行を抑制することができる。
【００９５】
なお、本実施例では、画像表示装置の内部の温度が上昇することによって画像表示装置の故障が生じることを抑制するために画像表示装置の内部の温度を考慮したが、画像表示装置の内部の温度は考慮しなくてもよい。例えば、図１１のＳ４０８以前の処理（Ｓ４０１〜Ｓ４０７とＳ４１４の処理）が省略され、図１１のＳ４０８以降の処理（Ｓ４０８、Ｓ４０９、Ｓ４１２、及び、Ｓ４１３の処理）が行われてもよい。他の実施例においても同様である。
【００９６】
なお、本実施例では、ファンの回転速度を低減する処理が音低減処理として行われる例を説明したが、これに限らない。例えば、音声を発するスピーカーを画像表示装置が有しており、スピーカーの音量を低減する処理が音低減処理として行われてもよい。ファンの回転速度を低減する処理と、スピーカーの音量を低減する処理と、の両方が音低減処理として行われてもよい。他の実施例においても同様である。
【００９７】
＜その他の実施例＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９８】
１１：ＳＤＩレシーバ  ２１：無線受信部  ２４，３６：距離演算部
２５，３２：処理情報取得部  ２７，３７，４３，５１：機能制御部
２８：ファン制御回路  ３８：音量制御回路  ４１：タイムコード取得部
【図１】
0006584232.tif 000002
【図２】
0006584232.tif 000003
【図３】
0006584232.tif 000004
【図４】
0006584232.tif 000005
【図５】
0006584232.tif 000006
【図６】
0006584232.tif 000007
【図７】
0006584232.tif 000008
【図８】
0006584232.tif 000009
【図９】
0006584232.tif 000010
【図１０】
0006584232.tif 000011
【図１１】
0006584232.tif 000012